(57)【要約】      （修正有）【課題】吸湿、放湿、調湿、消臭機能を付加した楽器ケースを提供する。【解決手段】楽器ケースの内部に吸湿性、放湿性、調湿性、消臭性に優れた布を用いる。楽器を収納するための支持部材と、支持部材の内側の楽器のする面に吸湿性樹脂からなる布を有する楽器ケースとする。外装板２の内側に楽器支持材３と、吸収性樹脂からなる調湿布４を配置する。【選択図】図２
2006171436.tif 000002
【特許請求の範囲】
【請求項１】
楽器を収納するための支持部材と、
前記支持部材の内側の前記楽器に接する面に吸収性樹脂からなる布を有する楽器ケース。
【請求項２】
前記支持部材の前記内側と反対側の面に外装部を有する請求項１記載の楽器ケース
【請求項３】
前記布の前記楽器側の表面に植毛を有する請求項１または２記載の楽器ケース
【請求項４】
前記吸収性樹脂が、デンプン系またはセルロース系または合成樹脂系である請求項１乃至３いずれか１項記載の楽器ケース。
【請求項５】
前記合成樹脂がポリアクリル酸塩、ポリビニルアルコール、ポリアクリルアミド、ポリオキシエチレン、ポリアミノ酸から選ばれる少なくとも一つの樹脂からなる請求項1乃至４いずれか１項記載の楽器ケース。
【請求項６】
前記ポリアクリル酸塩が、ポリアクリル酸ナトリウムからなる請求項５記載の楽器ケース。
【請求項７】
前記布が、表面に吸収性樹脂の粉末を配置したポリエステル樹脂からなる請求項１乃至６いずれか１項記載の楽器ケース。
【請求項８】
前記布が、表面に粉末の吸収性樹脂を互いに結合したポリエステル樹脂からなる請求項１乃至７いずれか１項記載の楽器ケース。
【発明の詳細な説明】
【技術分野】
【０００１】
本発明は楽器ケースに関し、特にケースの構造に関する。
【背景技術】
【０００２】
従来の楽器ケースにおいては、楽器ケース内には楽器の固定や緩衝を目的とした部材が設置されていた。この他に防湿効果を高めたケースとして、本体ケースとケースカバーの内部に、発泡合成樹脂製の本体コアとカバーコアを収納し、外周面に化粧カバーを着脱可能に取り付けた構造が知られていた（例えば、特許文献１参照。）。
【特許文献１】特開２０００−３３８９６７号公報  図１、第４頁
【発明の開示】
【発明が解決しようとする課題】
【０００３】
従来の楽器ケース内は例えば植毛を施された布が楽器がぴったりと収まるように成型された構成物に貼り付けられただけのものであり、ケース内を一定の湿度に保つ吸湿、放湿、調湿する機能や消臭する機能がない為、使用者が乾燥剤や消臭剤等を楽器ケースに挿入したり、保管時や運搬時には楽器ケースの周囲を楽器に適切な湿度環境に整える空調設備が必要であった。
【０００４】
これらの構造物には湿度をコントロールする機能は無く、一般的には使用者が乾燥剤等を購入し、楽器ケース内に挿入して、湿度のコントロールを行わねばならない。また、市販の乾燥剤の効果には寿命がある為、長期間の保存などには不向きで何度も交換する必要があり、交換の煩わしさや、経済的負担が大きくなってしまうという問題点があった。
【０００５】
また、乾燥剤による湿度コントロール以外の手段として、空調設備を用いて楽器ケースの周囲の湿度をコントロールする方法があるが、設備が大掛かりである為、一般的な使用者にはこのような設備を設置する場所や、費用の面で大きな負担があり、必ずしも最適な手段とはいえない。さらに、楽器を使用する際、特に息を吹き込んで演奏する管楽器などでは、演奏の際にたまった呼気による湿気や、温度差によって生じる結露等の水分で雑菌等が繁殖し、楽器ケース内や楽器が悪臭を放つことがあり、これらを改善するために消臭剤等を楽器ケース内に挿入したりする必要がある。消臭剤においても乾燥剤と同様にその効果に寿命があるため、適宜交換しなければならない煩わしさや、経済的負担があるといった問題点があった。
【０００６】
本発明は上記のような、湿度コントロールや消臭に関する問題点を解決する為に吸湿、放湿、調湿、消臭のこれら機能を楽器ケースに付加することを目的とする。
【課題を解決するための手段】
【０００７】
本発明は上記目的を達成する為に楽器ケースの内部に吸湿性、放湿性、調湿性、消臭性に優れた布を用いる。すなわち、楽器を収納するための支持部材と、支持部材の内側に吸収性樹脂からなる布を有する楽器ケースとする。
【０００８】
本発明は、楽器を収納するための支持部材と、支持部材の内側の前記楽器に接する面に吸収性樹脂からなる布を設けた。
本発明はさらに支持部材の前記内側と反対側の面に外装部を設けた。
本発明は、記布の前記楽器側の表面に植毛を設けた。
本発明は、吸収性樹脂を、デンプン系またはセルロース系または合成樹脂系とした。
本発明は、合成樹脂をポリアクリル酸塩、ポリビニルアルコール、ポリアクリルアミド、ポリオキシエチレン、ポリアミノ酸から選ばれる少なくとも一つの樹脂とした。
本発明は、ポリアクリル酸塩が、ポリアクリル酸ナトリウムからなる楽器ケースとした。
本発明は布を、表面に吸収性樹脂の粉末を配置したポリエステル樹脂とする。
本発明は布を、表面に粉末の吸収性樹脂を互いに結合したポリエステル樹脂とした。
【発明の効果】
【０００９】
本発明は、以下に記載されるような効果がある。
楽器ケースに吸湿性、放湿性、調湿性、消臭性に優れた布を用いた部材を設置することにより、楽器ケース内の湿度コントロールと消臭を行うことができる。また、楽器支持材の断熱効果により楽器の結露や急激な温度変化を防止することができる。
【発明を実施するための最良の形態】
【００１０】
以下に本発明の実施例について図面を参照して説明する。図1は本発明の１実施例にかかわるギター用の楽器ケースの外観図である。ギター用楽器ケース１の内面に、調湿布４が配置されている。
【００１１】
図２は本発明の１実施例の楽器ケース１の断面を示したものである。ギター用楽器ケース１は図２に示すような外装板２、楽器支持材３、調湿布４によって構成されている。外装板２は外部からの衝撃などから楽器を保護する役割を持つ。実施例ではハードタイプのギター用の楽器ケースを例にとって説明しているが、ソフトタイプのギター用楽器ケースもある。楽器支持材３は外装板２に貼り付けるなどして固定されており、その形状は保管対象となる楽器が丁度良く収まるような形状をしていてケース内で楽器が必要以上に動かないように楽器を支持、固定する役割を持つ。また、楽器支持材３は楽器の支持、固定の役割だけでなく、ケース外部の気温の変化から楽器を守る断熱材としての効果を持たせても良い。調湿布４は吸湿性、放湿性、調湿性、消臭性に優れた布に植毛５を施したものであり、この調湿布４が楽器ケース内の湿度コントロールと消臭を行う。また、植毛することで、外部からの衝撃を緩和したり、楽器に傷がついたりするのを防ぐ。
【００１２】
調湿布４は、ポリアクリル酸ナトリウム塩を成分とする吸水性繊維を使用した。
【００１３】
調湿布４として、グラフト重合またはＣＭ化したデンプン系やセルロース系材料や、ポリアクリル酸塩系、ポリビニルアルコール系、ポリアクリルアミド系、ポリオキシエチレン系からなる合成樹脂系でもよい。アクリル酸系樹脂のほかに、ポリアスパラギン酸系樹脂やポリアスパラギン酸(塩)と多価エポキシ化合物を反応させた架橋ポリアスパラギン酸系吸収樹脂も使用可能である。
【００１４】
また、調湿布４としてポリエステル繊維上にバインダーを介して粉末状の吸収性ポリマーを付着させた布や、ポリエステル繊維上に粉末上の吸収性ポリマーを重合した繊維を用いた布も使用できる。
【００１５】
調湿布４は、不織布、紡績糸、編物、織物の形態で使用することができる。そして、調湿布４は、吸収性繊維を通常の繊維に５％から５０％、好ましくは、３０％から４０％混合したものが使用できる。
【図面の簡単な説明】
【００１６】
【図１】ギター用楽器ケースの外観図
【図２】楽器ケースの断面図
【符号の説明】
【００１７】
１  ギター用楽器ケース
２  外装板
３  楽器支持材
４  調湿布
５  植毛
【図１】
2006171436.tif 000003
【図２】
2006171436.tif 000004